(57)【特許請求の範囲】
【請求項１】
表示器と、前記表示器のおもて面上に積層されたタッチパネルと、前記タッチパネルおよび前記表示器を収容する筐体とを有し、
前記筐体は、リアケースと、前記リアケースに取り外し可能に装着され、積層された前記タッチパネルおよび前記表示器のタッチ検知領域および可視領域を露出させる開口部を備えたフロントケースとを有し、
前記表示器は、前記リアケースに搭載され、
前記タッチパネルは、前記フロントケースに搭載されることを特徴とするディスプレイ装置。
【請求項２】
前記フロントケースは、着脱のための工具を用いることなく、前記リアケースに取り外し可能に固定される請求項１に記載のディスプレイ装置。
【請求項３】
前記フロントケースの前記開口部の周囲と、前記タッチパネルのおもて面のタッチ非検知領域との間に設けられる第１のクッション材をさらに有し、
前記第１のクッション材は、前記フロントケース側のおもて面上ならびに前記タッチパネル側の裏面上それぞれに、両面テープまたは接着剤層を備え、
前記タッチパネルは、予め、当該おもて面上に前記第１のクッション材の裏面が貼り付けられた後に、該第１のクッション材のおもて面上の両面テープまたは接着剤層を用いて前記フロントケースに固定される請求項１または２に記載のディスプレイ装置。
【請求項４】
前記タッチパネルの裏面と、前記表示器のおもて面の不可視領域との間に設けられる第２のクッション材をさらに有し、
前記第２のクッション材は、前記タッチパネル側のおもて面上に両面テープまたは接着剤層を備え、
前記タッチパネルは、予め、当該裏面上に前記第２のクッション材のおもて面が貼り付けられた状態で、前記フロントケースに固定される請求項３に記載のディスプレイ装置。
【請求項５】
前記フロントケースの前記開口部の周囲と、前記タッチパネルのおもて面のタッチ非検知領域との間に設けられる第１のクッション材と、
前記タッチパネルの裏面と、前記表示器のおもて面の不可視領域との間に設けられる第２のクッション材と、
可撓性を有すると共に幅方向を持ち、前記第１のクッション材と前記第２のクッション材とを連結するフィルムとから成るクッションテープをさらに有し、
前記フィルムは、前記幅方向の一端側の第１のフィルム面上に前記第１のクッション材のおもて面が貼り付けられると共に、該幅方向の一端側の第２のフィルム面上に両面テープまたは接着剤層を備え、
前記フィルムはさらに、前記幅方向の他端側の第１のフィルム面上に前記第２のクッション材の裏面が貼り付けられ、
前記第２のクッション材は、おもて面に両面テープまたは接着剤層を備え、
前記タッチパネルは、予め、当該裏面上に前記第２のクッション材のおもて面が貼り付けられ、当該端面上に前記フィルムの第１面の前記第１および前記第２のクッション材間の領域が当接し、さらに、当該おもて面上に前記第１のクッション材の裏面が当接するように前記クッションテープが巻かれた後に、該フィルムの第２面上の両面テープまたは接着剤層を用いて前記フロントケースに固定される請求項１または２に記載のディスプレイ装置。
【請求項６】
前記リアケースは、その内側面の上方に上向きに形成された第１の凹部と、内側面の下方に形成された第２の凹部とを備え、
前記フロントケースは、その内側面の上方に前記リアケースの前記第１の凹部に対応して下向きに形成された第１の爪と、内側面の下方に前記リアケースの前記第２の凹部に対応して形成された第２の爪とを備え、
前記フロントケースは、前記第１の爪を前記リアケースの前記第１の凹部に対して上方から係合させると共に、前記第２の爪を前記リアケースの前記第２の凹部に対して係合させることにより、着脱のための工具を用いることなく、前記リアケースに対して取り外し可能に固定される請求項２乃至５のいずれか一項に記載のディスプレイ装置。
【請求項７】
前記リアケースは、操作に応じて、該リアケースに固定された前記フロントケースを押し出すことによって前記第２の凹部に対する前記フロントケースの前記第２の爪の係合を解除する係合解除機構をさらに有し、
前記係合解除機構は、前記リアケースの側面に露出し、ユーザによる操作を受け付ける操作レバーを備え、
前記筐体は、前記操作レバーをも含め、結合された前記リアケースと前記フロントケースとの側面を覆うサイドパネルをさらに有し、
前記サイドパネルは、着脱のための工具を用いることなく、結合された前記リアケースと前記フロントケースとに対して取り外し可能に固定される請求項６に記載のディスプレイ装置。
【発明の詳細な説明】
【技術分野】
【０００１】
本発明は、タッチパネルを備えたディスプレイ装置に関する。
【背景技術】
【０００２】
この種のディスプレイ装置は、例えば、ＰＯＳ端末装置等の電子機器の周辺装置として、あるいは、電子機器の一部品として電子機器本体に対して一体に構成されるディスプレイ部として用いられる。
【０００３】
一般に、タッチパネルを備えたディスプレイ装置は、液晶パネル等の表示器と、表示器の前面に配置されるタッチパネルと、表示器およびタッチパネルを収容および支持する筐体とを有している。
【０００４】
この種のディスプレイ装置は、例えば、特許文献１に開示されている。尚、特許文献１は、表示器付きの入力デバイスである教示操作盤を開示しているが、タッチパネルを備えたディスプレイ装置に相当する構成を有している。当該ディスプレイ装置は、表示領域およびタッチ領域を規定する開口部を備えた教示操作盤の筐体と、筐体の内側において、開口部上に第１のパッキング材を介して配置されたタッチパネルと、タッチパネル上に第２のパッキング材を介して配置されると共に、筐体にネジを用いて固定される表示器とを有している。換言すれば、タッチパネルおよび表示器は、共通のネジを用いた所謂共締めの状態で筐体の内側面上に固定されている。
【先行技術文献】
【特許文献】
【０００５】
【特許文献１】特開２００５−０７４５５４号公報
【発明の概要】
【発明が解決しようとする課題】
【０００６】
ところで、タッチパネルを備えたディスプレイ装置は、長期間使用していく上で、バックライトを含めた表示器の故障の可能性の他、タッチパネルの故障の可能性がある。
【０００７】
タッチパネルの保守点検あるいは修理、交換を行う際に、特許文献１に開示されたものをも含め、従来のディスプレイ装置は、筐体を開ける作業、筐体に表示器を固定しているネジを外す等の作業を経て、表示器を取り外した後でなければ、タッチパネルを取り外すことができず、装置の保守性に難があるという問題がある。
【０００８】
それ故、本発明の課題は、タッチパネルを含む内蔵デバイスの保守性に優れたディスプレイ装置を提供することである。
【課題を解決するための手段】
【０００９】
本発明によれば、表示器と、前記表示器のおもて面上に積層されたタッチパネルと、前記タッチパネルおよび前記表示器を収容する筐体とを有し、前記筐体は、リアケースと、前記リアケースに取り外し可能に装着され、積層された前記タッチパネルおよび前記表示器のタッチ検知領域および可視領域を露出させる開口部を備えたフロントケースとを有し、前記表示器は、前記リアケースに搭載され、前記タッチパネルは、前記フロントケースに搭載されることを特徴とするディスプレイ装置が得られる。
【発明の効果】
【００１０】
本発明によるディスプレイ装置は、タッチパネルを含む内蔵デバイスの保守性に優れている。
【図面の簡単な説明】
【００１１】
【図１】(ａ)および(ｂ)は、本発明の実施例１によるディスプレイ装置を示す斜視図である。
【図２】(ａ)〜(ｃ)は、本発明の実施例１によるディスプレイ装置におけるタッチパネルの取り付け構造を説明するための図であり、サイドパネルおよび係合解除レバーを示す斜視図である。
【図３】(ａ)〜(ｄ)は、本発明の実施例１によるディスプレイ装置におけるタッチパネルの取り付け構造を説明するための図であり、リアケースおよびフロントケースを示す斜視図である。
【図４】は、本発明の実施例１によるディスプレイ装置におけるタッチパネルの取り付け構造を説明するための図であり、リアケースおよびフロントケースを示す断面図である。
【図５】(ａ)〜(ｃ)は、本発明の実施例１によるディスプレイ装置におけるタッチパネルの取り付け構造を説明するための図であり、リアケースおよび係合解除機構を示す斜視図である。
【図６】本発明の実施例１によるディスプレイ装置におけるタッチパネルの取り付け構造を説明するための図であり、(ａ)および(ｂ)はリアケースおよびフロントケースを示す斜視図であり、(ｃ)はタッチパネル単体を示す斜視図である。
【図７】本発明の実施例１によるディスプレイ装置におけるタッチパネルの取り付け構造を説明するための図であり、フロントケースに取り付けられたタッチパネルを示す断面図である。
【図８】(ａ)〜(ｄ)は、本発明の実施例１によるディスプレイ装置におけるタッチパネルの取り付け構造を説明するための図であり、タッチパネルの取り付けに用いられるクッションテープを示す図である。
【図９】本発明の実施例２によるディスプレイ装置におけるタッチパネルの取り付け構造を説明するための図であり、フロントケースに取り付けられたタッチパネルを示す断面図である。
【図１０】(ａ)および(ｂ)は、本発明の実施例２によるディスプレイ装置におけるタッチパネルの取り付け構造を説明するための図であり、タッチパネルの取り付けに用いられるクッションテープを示す図である。
【図１１】(ａ)および(ｂ)は、本発明の実施例１によるディスプレイ装置の変形例を示す斜視図である。
【発明を実施するための形態】
【００１２】
本発明によるディスプレイ装置は、表示器と、表示器のおもて面上に積層されたタッチパネルと、タッチパネルおよび表示器を収容する筐体とを有している。筐体は、リアケースと、リアケースに取り外し可能に装着され、積層されたタッチパネルおよび表示器のタッチ検知領域および可視領域を露出させる開口部を備えたフロントケースとを有している。
【００１３】
本発明においては特に、表示器がリアケースに取り出し可能に搭載される一方、タッチパネルがフロントケースに取り外し可能に搭載される。
【００１４】
即ち、本発明においては、タッチパネル式のディスプレイ装置の主要な内蔵デバイスであり、長期間使用していく上で、それぞれ修理交換を要する可能性がある表示器と、タッチパネルとを、筐体を構成する別部品であるリアケースと、フロントケースとに個別に搭載する。これにより、保守点検、修理交換等を実施する場合に、タッチパネルと表示器とを個別に取り外したり、再搭載することができるように構成されている。
【００１５】
したがって、本発明によるディスプレイ装置は、タッチパネルを含む内蔵デバイスの保守性に優れている。
【００１６】
また、本発明においては、人が操作するためにディスプレイ装置の構成部品の中でも故障が特に発生し易いタッチパネルが、フロントケースに搭載されている。したがって、タッチパネルを搭載したフロントケースを保守部品として用意しておくことにより、タッチパネルの故障時にフロントケースごと交換し、容易に短時間でタッチパネルの故障に対応することが可能である。とりわけ、本発明においては、表示部、表示部およびタッチパネルの制御回路、ディスプレイ装置が適用される情報処理機器とのインターフェース部、電源部、ヒンジ機構ならびに後述する係合解除機構等の多くのデバイスや機構を搭載したリアケースに比べ、フロントケースは、基本的にタッチパネルのみを搭載する簡素な構成であり、保守部品として用意しておくのに好適である。
【００１７】
以下、図面を参照して、本発明によるディスプレイ装置の具体的な実施例を説明する。
【実施例１】
【００１８】
図１(ａ)および(ｂ)を参照すると、本発明の実施例１のディスプレイ装置は、ＰＯＳ端末装置１０の前面側のディスプレイ部２０として、ＰＯＳ端末装置本体にヒンジ機構を介して一体に構成されている。尚、図１１(ａ)および(ｂ)に示されるように、本発明によるディスプレイ装置は、ＰＯＳ端末装置１０’の前面側のディスプレイ部２０Ｆおよび背面側のディスプレイ部２０Ｒそれぞれとして、ＰＯＳ端末装置本体にヒンジ機構を介して一体に構成されるものであってもよい。
【００１９】
図３（ａ）および（ｂ）ならびに図７等に示されるように、本ディスプレイ部（ディスプレイ装置）２０は、液晶パネル等の表示器３１と、表示器３１のおもて面上に積層された感圧式または静電容量式等のタッチパネル３２と、タッチパネル３２および表示器３１を収容する例えばＡＢＳなどの樹脂等から成る筐体とを有している。筐体は、リアケース２１と、リアケース２１に取り外し可能に装着され、積層されたタッチパネル３２および表示器３１のタッチ検知領域３２ｅおよび可視領域３１ｅを露出させる開口部２２６（図７）を備えたフロントケース２２とを有している。
【００２０】
本ディスプレイ装置においては特に、表示器３１がリアケース２１に取り出し可能に搭載される一方、タッチパネル３２がフロントケース２２に取り外し可能に搭載される。
【００２１】
まず、図２〜図６を参照して、リアケース２１およびフロントケース２２から成る筐体の構成について詳しく説明する。
【００２２】
図２（ａ）等に示されたフロントケース２２は、着脱のための工具を用いることなく、リアケース２１に取り外し可能に固定される。
【００２３】
図３（ａ）を参照すると、リアケース２１は、その内側面の上方に上向きに形成された第１の凹部を規定する上向きの５個の第１のフック２１１と、内側面の下方に形成された第２の凹部を規定する上向きの６個の第２のフック２１２とを備えている。
【００２４】
一方、図３（ｂ）を参照すると、フロントケース２２は、その内側面の上方にリアケース２１の第１のフック２１１が規定する第１の凹部に対応して下向きに形成された５個の第１の爪２２１と、内側面の下方にリアケース２１の第２のフック２１２が規定する第２の凹部に対応して形成された第２の爪２２２とを備えている。
【００２５】
そして、フロントケース２２は、その第１の爪２２１をリアケース２１の第１のフック２１１（第１の凹部）に対して上方から係合させた後に、図４に示されるように第２の爪２２２をリアケース２１の第２のフック２１２（第２の凹部）に対して係合させることにより、着脱のための工具を用いることなく、リアケース２１に対して取り外し可能に固定される。
【００２６】
さらに、図５（ａ）〜（ｃ）に示されるように、リアケース２１は、操作に応じてリアケース２１に固定されたフロントケース２２を押し出すことによって第２のフック２１２（第２の凹部）に対するフロントケース２２の第２の爪２２２の係合を解除する係合解除機構２１５をさらに有している。
【００２７】
係合解除機構２１５は、リアケース２１の内側面にネジを用いて回動可能に取り付けられ、かつ、その一端にリアケース２１の側面に露出する樹脂製の操作ツマミ２１５ａが装着され、ユーザによる操作を受け付ける金属製の操作レバー２１５ｂと、リアケース２１の内側面にネジを用いてスライド可能に取り付けられ、かつ、その一端が操作レバー２１５ｂの他端に挟角可変に結合された金属製のスライド部材２１５ｃと、リアケース２１の内側面にネジを用いて回動可能に取り付けられ、かつ、その一端がスライド部材２１５ｃの他端に結合された金属製の回動部材２１５ｄと、リアケース２１の内側面にネジを用いてスライド可能に取り付けられ、かつ、その一端が回動部材２１５ｄの他端に挟角可変に結合された金属製のスライド部材２１５ｅと、スライド部材２１５ｅにネジまたはカシメ等によって取り付けられた押し出し部材２１５ｆとによって構成されている。
【００２８】
押し出し部材２１５ｆは、弾性を有する板金から成り、図５（ｃ）に示されるように、フロントケース２２側を臨む傾斜面部を備えている。
【００２９】
他方、図５（ｃ）に示されるように、フロントケース２２は、その内側面の下方、特に、リアケース２１の係合解除機構２１５の押し出し部材２１５ｆに対応する位置に、突起２２５を樹脂製のフロントケース２２と一体に備えている。突起２２５は、押し出し部材２１５ｆに対応して傾斜面部を備えている。
【００３０】
さらに、本ディスプレイ部２０（ディスプレイ装置）は、筐体部品として、図２（ａ）に示された操作レバーの操作ツマミ２１５ａをも含め、結合されたリアケース２１とフロントケース２２との側面を覆うサイドパネル２３をさらに有している。サイドパネル２３は、結合されたリアケース２１とフロントケース２２との側面に形成された凹部（図示せず）に係合する爪（図示）を備え、当該係合関係により、結合されたリアケース２１とフロントケース２２に取り付けられる。リアケース２１の側面にはまた、図２（ｂ）に示されるように、コイン等の状物を差し込むための凹部２１４が形成されている。よって、ユーザは、リアケース２１の凹部２１４にコイン等の、保守点検等を行う者の身近にある板状物を差し込み、サイドパネル２３の裏側をコイン等を用いて引き出すことにより、着脱のための特別な工具を用いることなく、サイドパネル２３を取り外すことができる。サイドパネル２３によって係合解除機構２１５の操作ツマミ２１５ａが隠されることにより、ディスプレイ装置の保守点検等を行うべき者以外の者が不用意に筐体を分解してしまうことが防止される。尚、凹部２１４は、コイン等を使用せずに人の指で外せるように、人の指が入る大きさに形成されてもよい。
【００３１】
さて、ディスプレイ装置の保守点検等を行うべき者（仮に、サービスエンジニアと呼ぶ）がタッチパネル３２等の内蔵デバイスの保守点検や修理交換を行う場合、次のような作業がなされる。
【００３２】
サービスエンジニアは、図２（ａ）に示されたディスプレイ部２０（ディスプレイ装置）の側面に形成された凹部２１４（図２（ｂ））にコイン等を差し込んでサイドパネル２３を取り外し、図２（ｃ）に示されるように係合解除機構の操作ツマミ２１５ａが露出した状態にする。
【００３３】
次いで、サービスエンジニアは、操作ツマミ２１５ａ（操作レバー）を引き倒す。これにより、図５（ｂ）に示された係合解除機構２１５の各部材が連動（スライド、回動）し、押し出し部材２１５ｆは、図５（ｃ）中の右手前方向にスライドする。押し出し部材２１５ｆのスライドにより、その斜面によってフロントケース２２の内側の突起２２５が図５（ｃ）中の右奥に向かって押し出され、図４に示されたリアケース２１下方の第２のフック２１２（第２の凹部）に対するフロントケース２２の第２の爪２２２の係合が解除される。
【００３４】
下方の係合は解除されたが、依然として、リアケース２１上方の図３（ａ）に示された第１のフック２１１（第１の凹部）には、フロントケース２２上方の図３（ｂ）に示された第１の爪２２１が係合している。このため、フロントケース２２の着脱途中でフロントケース２２が不用意にリアケース２１から脱落することが防止される。
【００３５】
サービスエンジニアは、図６（ａ）に示されるように、フロントケース２２を少し持ち上げることにより、リアケース２１上方の図３（ａ）に示された第１のフック２１１（第１の凹部）と、フロントケース２２上方の図３（ｂ）に示された第１の爪２２１との係合関係を解除する。
【００３６】
続いて、サービスエンジニアは、フロントケース２２の内側面に図６（ｂ）に示されるごとく固定されているタッチパネル３２から導出され、リアケース２１内に設けられたコネクタ（図示せず）に挿入されている配線リードを抜去する。尚、タッチパネル３２の配線リードは、例えばＦＰＣ（Flexible Printed Cable）状を呈し、説明の便宜上、タッチパネル３２単体を示した図６（ｃ）中にのみ、符号３２７を付して示している。
【００３７】
以上のようにして、フロントケース２２からタッチパネル３２を取り外し可能な状態とされた。尚、この状態においては、リアケース２１から表示器３１を取り外すことも可能である。
【００３８】
次に、図７および図８を参照して、タッチパネルの取り付け構造について説明する。
【００３９】
図７を参照すると、本ディスプレイ装置は、フロントケース２２の開口部２２６の周囲と、タッチパネル３２のおもて面のタッチ非検知領域３２ｄとの間に設けられる第１のクッション材４１１をさらに有している。
【００４０】
第１のクッション材４１１は、そのフロントケース２２側のおもて面上ならびにタッチパネル３２側の裏面上それぞれに、両面テープまたは接着剤層（本例では、両面テープ４１２、４１６）を備えている。
【００４１】
そして、タッチパネル３２は、予め、そのおもて面上のうちのタッチ非検知領域３２ｄに対して第１のクッション材４１１の裏面が両面テープ４１６によって貼り付けられた後に、第１のクッション材４１１のおもて面上の両面テープ４１２によってフロントケース２２の開口部２２６の周囲のリブ２２７に貼り付けられる。両面テープまたは接着剤層によって貼り付けられるタッチパネル３２は、着脱のための工具を用いることなく、容易に取り外し可能である。
【００４２】
尚、図８（ａ）および(ｃ)に示されるように、第１のクッション材４１１は、両面テープ４１２、４１６と共に、第１のクッションテープ４１を構成している。第１のクッションテープ４１は、予め、リールに巻回された長尺の状態で用意され、四角いタッチパネル３２の４辺に対応した長さ毎に切り出して用いられる。
【００４３】
図７を参照すると、本ディスプレイ装置は、タッチパネル３２の裏面と、表示器３１のおもて面のうちの不可視領域３１ｄとの間に設けられる第２のクッション材４２１をさらに有している。
【００４４】
第２のクッション材４２１は、タッチパネル３２側のおもて面上に両面テープまたは接着剤層（本例では、両面テープ４２６）を備えている。
【００４５】
そして、タッチパネル３２は、予め、その裏面上のうちの、表示器３１の不可視領域３１ｄに対応する領域に対して第２のクッション材４２１のおもて面が両面テープ４２６によって貼り付けられた状態で、フロントケースに取り付けられる。第２のクッション材４２１は、表示器３１を搭載したリアケース２１に、タッチパネル３２を搭載したフロントケース２２を結合させたときに、表示器３１とタッチパネル３２との干渉を防ぐものである。
【００４６】
尚、図８（ｂ）および(ｄ)に示されるように、第２のクッション材４２１は、両面テープ４２６と共に、第２のクッションテープ４２を構成している。第２のクッションテープ４２は、予め、リールに巻回された長尺の状態で用意され、四角いタッチパネル３２の４辺に対応した長さ毎に切り出して用いられる。
【実施例２】
【００４７】
実施例２は、タッチパネルの取り付け構造が、実施例１と異なる。このため、実施例１と同一または同様の部分については、実施例１における説明を援用することとし、詳細な説明は省略する。
【００４８】
本発明の実施例２のディスプレイ装置は、実施例１と同様に、図１(ａ)および(ｂ)に示されたＰＯＳ端末装置１０の前面側のディスプレイ部２０として、ＰＯＳ端末装置本体にヒンジ機構を介して一体に構成されている。尚、図１１(ａ)および(ｂ)に示されるように、実施例２のディスプレイ装置も、ＰＯＳ端末装置１０’の前面側のディスプレイ部２０Ｆおよび背面側のディスプレイ部２０Ｒそれぞれとして、ＰＯＳ端末装置本体にヒンジ機構を介して一体に構成されるものであってもよい。
【００４９】
図９に示されるように、実施例２のディスプレイ装置は、液晶パネル等の表示器３１と、表示器３１のおもて面上に積層された感圧式または静電容量式等のタッチパネル３２と、タッチパネル３２および表示器３１を収容する例えばＡＢＳなどの樹脂等から成る筐体とを有している。筐体は、リアケースと、リアケースに実施例１で説明したごとく着脱のための工具を用いることなく取り外し可能に装着され、積層されたタッチパネル３２および表示器３１のタッチ検知領域３２ｅおよび可視領域３１ｅを露出させる開口部２２６を備えたフロントケース２２と、結合されたリアケースおよびフロントケース２２の側面にリアケースに実施例１で説明したごとく着脱のための工具を用いることなく取り外し可能に装着されるサイドパネルとを有している。
【００５０】
また、実施例２のディスプレイ装置は、実施例１と同様に、リアケースに係合解除機構を有している。
【００５１】
さて、本ディスプレイ装置においては、実施例１と同様に、表示器３１がリアケースに取り出し可能に搭載される一方、タッチパネル３２がフロントケース２２に取り外し可能に搭載される。
【００５２】
図９および図１０を参照して、実施例２におけるタッチパネルの取り付け構造について詳しく説明する。
【００５３】
図９を参照すると、本ディスプレイ装置は、フロントケース２２の開口部２２６の周囲と、タッチパネル３２のおもて面のタッチ非検知領域３２ｄとの間に設けられる第１のクッション材４３１と、タッチパネル３２の裏面と、表示器３１のおもて面の不可視領域３１ｄとの間に設けられる第２のクッション材４３２と、可撓性を有すると共に幅方向を持ち、第１のクッション材４３１と第２のクッション材４３２とを連結するフィルム４３３とから成るクッションテープ４３をさらに有している。
【００５４】
フィルム４３３は、その幅方向の一端側の第１のフィルム面上に、両面テープまたは接着剤層（本例では、両面テープ４３４）を用いて、第１のクッション材４３１のおもて面が貼り付けられる。これと共に、フィルム４３３は、その幅方向の一端側の第２のフィルム面上に、両面テープまたは接着剤層（本例では、両面テープ４３７）を備えている。
【００５５】
フィルム４３３はさらに、その幅方向の他端側の第１のフィルム面上に、両面テープまたは接着剤層（本例では、両面テープ４３５）を用いて、第２のクッション材４３２の裏面が貼り付けられている。
【００５６】
また、第２のクッション材４３２は、そのおもて面に、両面テープまたは接着剤層（本例では、両面テープ４３６）を備えている。
【００５７】
そして、タッチパネル３２は、予め、その裏面上のうちの、表示器３１の不可視領域３１ｄに対応する領域に対して第２のクッション材４３２のおもて面が両面テープ４３６によって貼り付けられ、また、タッチパネル３２の端面（図９中、上端面）上にフィルム４３３の第１面のうちの第１のクッション材４３１と第２のクッション材４３２との間の領域が当接し、さらに、タッチパネル３２のおもて面上のうちのタッチ非検知領域３２ｄに対して、両面テープまたは接着剤層を介さずに、第１のクッション材４３１の裏面が当接するように、クッションテープ４３が巻かれた後に、フィルム４３３の第２面上の両面テープ４３２を用いて、フロントケース２２の開口部２２６の周囲のリブ２２７に貼り付けられる。両面テープまたは接着剤層によって貼り付けられるタッチパネル３２は、着脱のための工具を用いることなく、容易に取り外し可能である。また、第２のクッション材４３２は、表示器３１を搭載したリアケースに、タッチパネル３２を搭載したフロントケース２２を結合させたときに、表示器３１とタッチパネル３２との干渉を防ぐものである。
【００５８】
尚、図１０（ａ）および（ｂ）に示されるように、第１のクッション材４３１、第２のクッション材４３２およびフィルム４３３は、両面テープ４３７、４３４、４３５、４３６と共に、クッションテープ４３を構成している。クッションテープ４３は、予め、リールに巻回された長尺の状態で用意され、四角いタッチパネル３２の４辺に対応した長さ毎に切り出して用いられる。
【００５９】
実施例２では、フロントケース２２に対してタッチパネル３２を取り外し可能に固定するためのクッションテープについて、実施例１の２種類（第１、第２のクッションテープ４１、４２）から１種類（クッションテープ４３）に減らすことができ、予めタッチパネルに貼り付ける作業も削減される。さらに、実施例２のクッションテープ４３は、実施例１の第１のクッションテープ４１とは異なり、タッチパネル３２のおもて面上のうちのタッチ非検知領域３２ｄに対して、第１のクッション材４３１の裏面が当接するのみで、貼り付けられないようになっている。このため、タッチパネル３２のおもて面上のうちのタッチ非検知領域３２ｄにクッション材を貼り付ける作業の際に、誤ってタッチ検知領域３２ｅにクッション材が両面テープまたは接着剤層によって固着し、タッチパネル３２が誤作動を起こしたり、検知精度が低下する虞がない。
【産業上の利用可能性】
【００６０】
以上、幾つかの実施例を参照して本発明を説明したが、本発明の構成や詳細については、当業者が理解し得る様々な変更を加えることができる。また、本発明には、上記各実施例の構成の一部または全部を相互に適宜組み合わせたものも含まれる。
【００６１】
例えば、本発明によるタッチパネル式のディスプレイ装置は、実施例で挙げたようなＰＯＳ端末装置等の電子機器の本体と一体に構成されるものに限らず、電子機器に付随して用いられる周辺機器の形態であってもよい。
【符号の説明】
【００６２】
１０、１０’    ＰＯＳ端末装置
２０    ディスプレイ装置（ディスプレイ部）
２１    リアケース
２１１    第１のフック
２１２    第２のフック
２１４    凹部
２１５    係合解除機構
２１５ａ  操作ツマミ
２１５ｂ  操作レバー
２１５ｄ  回動部材
２１５ｃ、２１５ｅ  スライド部材
２１５ｆ  押し出し部材
２２    フロントケース
２２１    第１の爪
２２２    第２の爪
２２５    突起
２２６    開口部
２３    サイドパネル
３１    表示器
３１ｅ  可視領域
３１ｄ  不可視領域
３２    タッチパネル
３２ｅ  タッチ検知領域
３２ｄ  タッチ非検知領域
３２７    配線リード
４１    第１のクッションテープ
４１１    第１のクッション材
４１２、４１６    両面テープ
４２    第２のクッションテープ
４２１    第２のクッション材
４２６    両面テープ
４３    クッションテープ
４３１    第１のクッション材
４３２    第２のクッション材
４３３    フィルム
４３４、４３５、４３６、４３７    両面テープ
【要約】
【課題】タッチパネルを含む内蔵デバイスの保守性に優れたディスプレイ装置を提供する。
【解決手段】表示器３１と、表示器３１のおもて面上に積層されたタッチパネル３２と、タッチパネル３２および表示器３１を収容する筐体とを有している。筐体は、リアケース２１と、リアケース２１に取り外し可能に装着され、積層されたタッチパネルおよび表示器のタッチ検知領域および可視領域を露出させる開口部を備えたフロントケース２２とを有している。表示器３１は、リアケース２１に搭載される一方、タッチパネル３２は、フロントケース２２に搭載される。
【選択図】図３【図１】
0005187787.tif 000002
【図２】
0005187787.tif 000003
【図３】
0005187787.tif 000004
【図４】
0005187787.tif 000005
【図５】
0005187787.tif 000006
【図６】
0005187787.tif 000007
【図７】
0005187787.tif 000008
【図８】
0005187787.tif 000009
【図９】
0005187787.tif 000010
【図１０】
0005187787.tif 000011
【図１１】
0005187787.tif 000012